(57)【特許請求の範囲】
【請求項１】
遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記開閉部材の下方に配置され、遊技球の流下方向を上下方向とし、当該上下方向に沿う回動軸線回りに回動可能に保持された伝達部材を備え、前記駆動源の駆動力を受けて前記伝達部材が回動するように構成されると共に、当該伝達部材の回動動作に連動させて前記開閉部材をスライド動作させる伝達機構と、
を備え、
前記筺体は、前記伝達部材の下面側を支持しつつ当該伝達部材を回動可能に保持する支持壁を備えると共に、前記支持壁から上方に突出する突出部が形成され、
前記開閉部材は、前記伝達部材の前記回動軸線の近傍で下面側が前記伝達部材の上面側と対向した状態で前後にスライド動作するように構成され、
前記伝達部材は、前記突出部が挿入される貫通孔が形成されており、前記貫通孔内に前記突出部が挿入された状態で、当該突出部の周りを回動し得るように前記支持壁上に支持され、前記開閉部材と前記支持壁とによって上下への移動が規制されつつ前記回動軸線を中心として回動することを特徴とする遊技機用可変入賞装置。
【請求項２】
前記伝達部材は、
前記回動軸線を中心とする所定の回動半径方向に延びる共に前記回動軸線を中心として回動変位可能な第１延出部と、前記第１延出部の延出方向とは異なる回動半径方向に延びると共に前記回動軸線を中心として回動変位可能な第２延出部とを備え、
前記第１延出部及び前記第２延出部の基端側且つ上面側において前記回動軸線の周囲には前記開閉部材と対向し得る回動軸線側当接部が形成され、
前記第１延出部及び前記第２延出部の少なくともいずれかの延出部の上面側において上方側に凸となる構成で、前記回動軸線側当接部から当該いずれかの延出部の延出方向に沿うように連続して延びる延出部側当接部が形成され、
前記第１延出部が前記駆動源側からの駆動力を受け、前記第２延出部が前記開閉部材側に当該駆動力を伝達するように作用する構成をなしており、
前記伝達部材の回動動作に伴い、前記開閉部材の下面側の部分が前記回動軸線側当接部及び前記延出部側当接部の少なくともいずれかに当接しつつ前後動し得るように構成されていることを特徴とする請求項１に記載の遊技機用可変入賞装置。
【請求項３】
前記駆動源は、前記支持壁の下方側に配置され、
前記支持壁には、前記上下方向に貫通する開口部が形成されており、
前記伝達部材がいずれかの回動位置にあるときに、当該伝達部材の一部が前記開口部内に入り込むように構成されていることを特徴とする請求項１又は請求項２に記載の遊技機用可変入賞装置。
【請求項４】
前記開閉部材は、前記遊技盤の前面の前方側において前記誘導口を閉鎖可能な板状の閉鎖部を備え、
前記閉鎖部は、前後方向及び前記上下方向に直交する左右方向に対して上面を左右方向の一方側から他方側に遊技球が流下するように傾斜して配置され、
前記支持壁は、板状形態をなし且つ左右方向に沿うように配置されており、
前記伝達部材は、前記開閉部材の最下位置よりも上側に配置されていることを特徴とする請求項１から請求項３のいずれか一項に記載の遊技機用可変入賞装置。。
【請求項５】
請求項１から請求項４のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
アタッカーとも称される大入賞装置には、入賞口を開閉する部材が、閉鎖状態では遊技盤の前方に突出し、開放状態では遊技盤の前方から後退するスライド式のものがある。このような開閉部材は、直接又は他部材を介して間接的に駆動源の駆動力を受けてスライド動作するようになっている。例えば、特許文献１、２で開示される入賞装置では、上下方向に沿って延びる回動軸線回りに回動可能に設けられた部材を介してスライド動作させる構成が記載されている。
【０００３】
具体的には、特許文献１に開示される入賞装置では、前進位置で入賞口に通じる第１開口部（３１）を閉鎖し、後退位置で第１開口部（３１）を開放する前後方向移動可能な開閉板（３５）を有する第１開閉手段（３６）と、上下方向に延びる回転軸（９２）を有し第１開閉手段（３６）と連動する第１リンク部材（８４）とを備えている。そして、第１ソレノイド（８２）がオン状態になると、それに連動して第１リンク部材（８４）が平面視時計方向に回転して、開閉スライド部材（８１）が閉鎖位置から開放位置まで後ろ向きに移動し、第１開口部（３１）が開放されることになる。また、第１ソレノイド（８２）がオフ状態になると、それに連動して第１リンク部材（８４）が平面視反時計方向に回転して、開閉スライド部材（８１）が開放位置から閉鎖位置まで前向きに移動し、第１開口部（３１）が閉鎖されるようになっている。
【０００４】
また、特許文献２に開示される入賞装置では、上方に向かって開口した入球口（６１）の開口面と平行に直動して入球口（６１）を開閉する開閉扉（７１）と、扉直動方向と扉上球転動方向とに共に直交した回転軸を中心に回転可能に設けられ、開閉扉（７１）と連動する回動リンク部材（９０）とを備えている。そして、ソレノイド（８１）の励磁状態に起因する駆動力を受けて回動リンク部材（９０）が回動し、それに連動して開閉扉が開放位置と閉鎖位置とに直動するように構成されている。
【先行技術文献】
【特許文献】
【０００５】
【特許文献１】特登４４００８３２号公報
【特許文献２】特開２０１２−１０９０９号公報
【発明の概要】
【発明が解決しようとする課題】
【０００６】
特許文献１の構成では、第１リンク部材（８４）が、第１ソレノイド（８２）に対する駆動軸（８３）側に配置され、後部装着板（９１）の前面側に固定された第１軸受部材（９５）によりその回転軸（９２）を周囲から覆うように回転自在に支持している。しかしながら、このような構成では、入賞装置内において第１軸受部材（９５）を設けるスペースを確保する必要があり、遊技盤の前後方向及び左右方向の嵩張りが大きくなってしまう。また、第１軸受部材（９５）を設けることで部材点数が増加し、部材の組付け作業も複雑化することになる。一方、特許文献２の構成では、回動リンク部材（９０）の回動支軸（９０Ｊ）は、両端部が表示枠体（４０）の固定壁部に回転可能に支持されている。しかしながら、このような構成では、回動リンク部材（９０）の回動支軸（９０Ｊ）の上下位置に表示装置（４０）の固定壁部に支持させる構成（例えば、回動支軸（９０Ｊ）にボス構造を設け、回動支軸（９０Ｊ）と固定壁部とをビス等の締結部材によって締結する構成）が必要となり、入賞装置において上下方向の嵩張りが大きくなってしまう。また、回動支軸（９０Ｊ）に対する支持構造を設けることで部材点数が増加し、部材の組付け作業も複雑化することになる。
【０００７】
本発明は、上述した課題を解決するためになされたものであり、遊技球を内部に誘導可能に構成された遊技機用可変入賞装置及びこれを備えた遊技機において、伝達部材の移動を規制しつつ、上下方向のコンパクト化を図ることができ、且つ部品点数を削減すると共に部品の組付けを容易化し得る構成を提供することを目的とする。
【課題を解決するための手段】
【０００８】
本発明の遊技機用可変入賞装置は、遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記開閉部材の下方に配置され、遊技球の流下方向を上下方向とし、当該上下方向に沿う回動軸線回りに回動可能に保持された伝達部材を備え、前記駆動源の駆動力を受けて前記伝達部材が回動するように構成されると共に、当該伝達部材の回動動作に連動させて前記開閉部材をスライド動作させる伝達機構と、
を備え、
前記筺体は、前記伝達部材の下面側を支持しつつ当該伝達部材を回動可能に保持する支持壁を備えると共に、前記支持壁から上方に突出する突出部が形成され、
前記開閉部材は、前記伝達部材の前記回動軸線の近傍で下面側が前記伝達部材の上面側と対向した状態で前後にスライド動作するように構成され、
前記伝達部材は、前記突出部が挿入される貫通孔が形成されており、前記貫通孔内に前記突出部が挿入された状態で、当該突出部の周りを回動し得るように前記支持壁上に支持され、前記開閉部材と前記支持壁とによって上下への移動が規制されつつ前記回動軸線を中心として回動することを特徴とする。
【０００９】
本発明の遊技機は、上記遊技機用可変入賞装置が遊技盤に配置されていることを特徴とする。
【発明の効果】
【００１０】
本発明の遊技機用可変入賞装置及び遊技機によれば、開閉部材が閉鎖位置と開放位置との間で変位する際に、常時開閉部材が伝達部材の回動軸線の近傍で伝達部材の上方に位置するように配置形成されているため、ガタつくことなく安定した動作をさせることができると共に伝達部材が開閉部材の下面に接触して上方への移動が規制される。一方で、伝達部材は、下方側で支持壁と当接することによって下方への移動が規制される。このようにして、伝達部材が本来あるべき位置から移動してしまい、開閉部材を開閉動作させるための適当な回動動作ができなくなることを防止することができる。
また、開閉部材と伝達部材とが積層される形で配置されるため、伝達部材を保持する部材として筺体等を介在させる必要がなくなり、上下方向の嵩張りを抑制することができる。
更に、伝達部材は、下面側が筺体の支持壁によって支持され、上面側が開閉部材によって対向されることで上下方向への移動が規制されるため、筺体と締結するために用いるビス等が必要なくなり、部品点数の低減及び組付け作業の効率化を図ることができる。
【００１１】
また、本発明において、筺体には、支持壁から上方に突出する突出部が形成され、伝達部材には、突出部が挿入される貫通孔が形成されており、伝達部材は、貫通孔内に突出部が挿入された状態で、当該突出部の周りを回動し得るように支持壁上に支持されていてもよい。
このように、突出部を用いて筺体と伝達部材を連係させる構成においては、突出部及び支持壁によって伝達部材の回動動作を支持することが可能となり、伝達部材を安定して回動動作させることができる。
【００１２】
また、本発明において、伝達部材は、回動軸線を中心とする所定の回動半径方向に延びると共に回動軸線を中心として回動変位可能な第１延出部と、第１延出部の延出方向とは異なる回動半径方向に延びると共に回動軸線を中心として回動変位可能な第２延出部とを備え、第１延出部及び第２延出部の基端側且つ上面側において回動軸線の周囲には開閉部材と対向し得る回動軸線側当接部が形成され、第１延出部及び第２延出部の少なくともいずれかの延出部の上面側において上方側に凸となる構成で、回動軸線側当接部から当該いずれかの延出部の延出方向に沿うように連続して延びる延出部側当接部が形成され、第１延出部が駆動源側からの駆動力を受け、第２延出部が開閉部材側に当該駆動力を伝達するように作用する構成をなしており、伝達部材の回動動作に伴い、開閉部材の下面側の部分が回動軸線側当接部及び延出部側当接部の少なくともいずれかに当接しつつ前後動し得るように構成されていてもよい。
これによって、伝達部材が回動動作する際、即ち開閉部材が前後方向にスライド動作する際に、開閉部材の下面側の部分が回動軸線側当接部及び延出部側当接部の少なくともいずれかに当接しつつ前後動するため、開閉部材の動作におけるガタ（傾き）を抑制して円滑なスライド動作が可能となる。
【００１３】
また、本発明において、駆動源は、支持壁の下方側に配置され、支持壁には、上下方向に貫通する開口部が形成されており、伝達部材がいずれかの回動位置にあるときに、当該伝達部材の一部が開口部内に入り込むように構成されていてもよい。
これによって、伝達部材、支持壁及び駆動源は上下方向に積層する形で配置されるため、伝達部材の一部を支持壁において上下方向に貫通した開口部に入り込ませることで、上下方向の嵩張りを抑制することができる。また、駆動源で発生した熱を上方側に位置する筺体の開口部から放熱させることによって、駆動源の放熱効果向上に寄与することができる。
【００１４】
また、本発明において、開閉部材は、遊技盤の前面の前方側において誘導口を閉鎖可能な板状の閉鎖部を備え、閉鎖部は、前後方向及び上下方向に直交する左右方向に対して上面を左右方向の一方側から他方側に遊技球が流下するように傾斜して配置され、支持壁は、板状形態をなし且つ左右方向に沿うように配置されており、伝達部材は、前記開閉部材の最下位置よりも上側に配置されていてもよい。
これによって、閉鎖部の上面に遊技球を転動させる時に生じるスペースを伝達部材の配置に有効に利用し、新たに伝達部材の配置スペースを設けることなく、入賞装置のコンパクト化を図ることができる。
【図面の簡単な説明】
【００１５】
【図１】図１は、本発明の第１実施形態に係る遊技機用可変入賞装置を備えた遊技機を例示する正面図である。
【図２】図２（Ａ）は、本発明の第１実施形態に係る遊技機用可変入賞装置に関し、開閉部材が閉鎖位置にあるときの様子を前側の斜め上方から見た斜視図であり、図２（Ｂ）は、開閉部材が開放位置にあるときの図２（Ａ）に対応する図である。
【図３】図３（Ａ）は、図２（Ａ）の遊技機用可変入賞装置の正面図であり、図３（Ｂ）はその背面図である。
【図４】図４（Ａ）は、図２（Ａ）の遊技機用可変入賞装置の平面図であり、図４（Ｂ）はその底面図である。
【図５】図５（Ａ）は、図２（Ａ）の遊技機用可変入賞装置の右側面図であり、図５（Ｂ）はその左側面図である。
【図６】図６は、図２の遊技機用可変入賞装置を前側の斜め上方から見た分解斜視図である。
【図７】図７は、図２の遊技機用可変入賞装置を後側の斜め下方から見た分解斜視図である。
【図８】図８（Ａ）は、図３（Ａ）のＡ−Ａ断面を概略的に示す断面図であり、図８（Ｂ）は、開閉部材が開放位置にあるときの図８（Ａ）に対応した断面図である。
【図９】図９（Ａ）は、図４（Ａ）のＢ−Ｂ断面を概略的に示す断面図であり、図９（Ｂ）は、開閉部材が開放位置にあるときの図９（Ａ）に対応した断面図である。
【図１０】図１０（Ａ）は、開閉部材が閉鎖位置にあるときの、開閉部材、第１伝達部材、第２伝達部材、及び駆動源の連係状態の上方側からの様子を示す説明図であり、図１０（Ｂ）は、開閉部材が開放位置にあるときの図１０（Ａ）に対応した説明図である。
【図１１】図１１は、図２の遊技機用可変入賞装置に関し、開閉部材、第１伝達部材、第２伝達部材、及び駆動源の連係状態の前方側からの様子を示す説明図であり、図１１（Ａ）は、開閉部材が閉鎖位置にあるときの様子を示す図であり、図１１（Ｂ）は、開閉部材が開放位置にあるときの様子を示す図である。
【図１２】図１２は、図２の遊技機用可変入賞装置に関し、開閉部材、第１伝達部材、第２伝達部材、及び駆動源の連係状態の右側方側からの様子を示す説明図であり、図１２（Ａ）は、開閉部材が閉鎖位置にあるときの様子を示す図であり、図１２（Ｂ）は、開閉部材が開放位置にあるときの様子を示す図である。
【図１３】図１３は、図２の遊技機用可変入賞装置に関し、開閉部材、第１伝達部材、第２伝達部材、及び駆動源の連係状態の後側の斜め上方側からの様子を示す説明図であり、図１３（Ａ）は、開閉部材が閉鎖位置にあるときの様子を示す図であり、図１３（Ｂ）は、開閉部材が開放位置にあるときの様子を示す図である。
【図１４】図１４は、図２の遊技機用可変入賞装置に関し、開閉部材、第１伝達部材、第２伝達部材、及び駆動源の連係状態の前側の斜め下方側からの様子を示す説明図であり、図１４（Ａ）は、開閉部材が閉鎖位置にあるときの様子を示す図であり、図１４（Ｂ）は、開閉部材が開放位置にあるときの様子を示す図である。
【図１５】図１５は、図２の遊技機用可変入賞装置に関し、開閉部材、第１伝達部材、第２伝達部材、及び駆動源の連係状態の後方側からの様子を示す説明図であり、図１５（Ａ）は、開閉部材が閉鎖位置にあるときの様子を示す図であり、図１５（Ｂ）は、開閉部材が開放位置にあるときの様子を示す図である。
【図１６】図１６は、図２の遊技機用可変入賞装置に関し、第１伝達部材、第２伝達部材、及び駆動源の連係状態の斜め上方側からの様子を示す説明図であり、図１６（Ａ）は、開閉部材が閉鎖位置にあるときの様子を示す図であり、図１６（Ｂ）は、開閉部材が開放位置にあるときの様子を示す図である。
【図１７】図１７は、図２の遊技機用可変入賞装置に関し、第１伝達部材、第２伝達部材、及び駆動源の連係状態の後側の斜め上方側からの様子を示す説明図であり、図１７（Ａ）は、開閉部材が閉鎖位置にあるときの様子を示す図であり、図１７（Ｂ）は、開閉部材が開放位置にあるときの様子を示す図である。
【図１８】図１８は、本発明の第２、第３、第４実施形態に係る遊技機用可変入賞装置に関し、筺体の支持壁が伝達部材を回動可能に保持する状態を概略的に示す説明図である。図１８（Ａ）は、第２実施形態に係る開閉部材、第１伝達部材及び筺体の連係状態の前後方向からの様子を示す断面図であり、図１８（Ｂ）は、第３実施形態に係る開閉部材及び筺体の連係状態の下方側からの様子を示す図であり、図１８（Ｃ）は、第４実施形態に係る開閉部材、第１伝達部材及び筺体の連係状態の前後方向からの様子を示す断面図である。
【発明を実施するための形態】
【００１６】
[第１実施形態]
以下、本発明に係る遊技機用可変入賞装置１０及びそれを備えた遊技機１を具現化した第１実施形態について、図面を参照して説明する。
（遊技機の構成）
まず、図１を参照して遊技機１の構成を概説する。図１に示す遊技機１は、いわゆるパチンコ機として構成されるものであり、木板（ベニヤ板）、アクリル板等によって構成される遊技盤２の盤面（前面２ｂ）に沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動誘導口７が配置されている。そして、液晶表示部３の下方側において、始動誘導口７の横方向に、本発明に係る遊技機用可変入賞装置１０が配置されている。なお、遊技機１には、遊技盤２の前方において当該遊技盤２の盤面（前面２ｂ）とほぼ平行に透明板（ガラス板等）が配置され、ガイドレール５等によって区画された遊技領域内において透明板と遊技盤２との間を遊技球Ｂが流下するように構成されている。
【００１７】
（遊技機用可変入賞装置の構成）
次に、第１実施形態に係る遊技機用可変入賞装置１０について説明する。
図１等に示すように、遊技機用可変入賞装置１０（以下、入賞装置１０ともいう）は、遊技領域を流下してきた遊技球Ｂを内部に誘導することで入賞させる装置である。入賞装置１０は、入賞した遊技球Ｂを検出スイッチ等で感知・検出し、その検出があった場合に所定個数の賞球が払い出されることになる。図１に示すように、入賞装置１０は、遊技盤２に直接的に又は他部材を介して間接的に固定されて用いられ、図２、図４（Ａ）及び図５（Ｂ）に示すように遊技盤２の前面２ｂ（盤面）（図２では省略）の前方側において上方側に開放した開口形態で配される誘導口２０を備えている。この誘導口２０は、後述する開閉部材２１によって開閉される構成をなしており、開閉部材２１が開放位置となったときに開放状態となり、前面２ｂに沿って流下する遊技球を内部に誘導することができるようになっている。  なお、図４、図５及び図８では、遊技盤２の前面２ｂ（盤面）及び後面２ｃの位置を二点鎖線にて仮想的に示している。
【００１８】
本明細書において、「前後方向」とは、遊技盤２の前面２ｂ（盤面）と直交する方向を意味し、前面２ｂ（盤面）に対し遊技者が位置するべき側を前方側、それとは反対側（即ち、遊技機１奥側）を後方側とする。また、「上下方向」とは、遊技盤２の前面２ｂと平行で遊技領域を遊技球が流下する方向（鉛直方向）を意味する。また、「左右方向」とは、上記「前後方向」及び「上下方向」と直交する方向を意味する。また、「水平方向」とは、上記「上下方向」と直交する平面方向（即ち、「前後方向」及び「左右方向」と平行な平面方向）を意味する。
【００１９】
図２〜図７に示すように、入賞装置１０は、遊技盤２に直接的に固定されると共に遊技盤２の前方側に当該遊技盤２の前面２ｂに沿って流下する遊技球を下方側に進入させつつ取り込む誘導口２０が形成されてなる筐体８０と、遊技盤２の前面２ｂの前方側において誘導口２０を閉鎖可能な閉鎖部２１ａを備え、閉鎖部２１ａが誘導口２０を閉鎖する閉鎖位置とその閉鎖位置のときよりも遊技球が進入しやすい開放位置とで変位する開閉部材２１と、駆動力を生じさせる駆動源４０とを備えている。更に、入賞装置１０は、開閉部材２１と連動可能に構成されると共に駆動源４０の駆動力を受けて開閉部材２１を前後に変位させる構成をなし、閉鎖位置のときには閉鎖部２１ａを遊技盤２の前方側に突出させて誘導口２０を閉鎖し、開放位置のときには閉鎖部２１ａを閉鎖状態のときよりも後退させて誘導口２０を開放するように開閉部材２１を変位させる伝達機構３０と、誘導口２０から装置内部（入賞領域）に進入した遊技球を検出する球検出部６２とを備えている。
【００２０】
まず、開閉部材２１について説明する。
開閉部材２１は、図６、図７等に示すように、長手状且つ略板状に構成されており、図２（Ａ）、図４（Ａ）及び図５（Ｂ）に示すように、筐体８０に形成された誘導口２０を閉塞し得るように当該筐体８０に保持されている。この開閉部材２１は、図２（Ａ）（Ｂ）、図４（Ａ）、図５（Ｂ）に示すように、遊技盤２の前面２ｂの前方側に突出して誘導口２０を閉鎖する位置（閉鎖位置（図２（Ａ）、図４（Ａ）及び図５（Ｂ）））と、その閉鎖位置のときよりも誘導口２０に遊技球が進入しやすくなる位置（開放位置（図２（Ｂ）））とで変位するようになっている。
【００２１】
開閉部材２１は、図６及び図７に示すように、主として、略板状に形成され誘導口２０を閉鎖し得るように機能する閉鎖部２１ａと、開閉部材２１の下面側の後端部２１ｃ付近（後部側）かつ中央部付近から下方側に突出するように凸状に形成されて第１伝達部材３１の作用部３１ｄと連係する被作用部２１ｂ（図７）と、開閉部材２１の上面側の後端部２１ｃ付近かつ中央部付近から上方向に突出して開閉部材２１の動作をガイドする上側摺動部２１ｄと、被作用部２１ｂの側方（左側）で下方向に突出して開閉部材２１の動作をガイドする下側摺動部２１ｅと、開閉部材２１の下面側の後端部２１ｃ付近かつ中央から右寄りで下方向に突出すると共に略直方体状に形成されて第１伝達部材３１の上面側（詳しくは回動軸線側当接部３１ｈ及び延出部側当接部３１ｉ）と上下方向で対向する対向部２１ｆを備えている。ここで、対向部２１ｆは、図１０に示すように、上下方向から見て矩形状であり、また、図９及び図１５に示すように、下面が平らに形成されると共に、左側の端部（図面上では右側）が閉鎖部２１ａの下面に対して連続となるように形成されている。そして、開閉部材２１は、閉鎖部２１ａが左右方向において左方向が低位となるように、すなわち右から左に遊技球が流下（転動）するように傾斜して配置されている。また、開閉部材２１の前端は、下面側が前方に向かって高位置となるように傾斜している。更に、対向部２１ｆは、開閉部材２１の後端部２１ｃよりも後方に突出するように形成されると共に、下面が水平になるように配置されている。
【００２２】
開閉部材２１の上側摺動部２１ｄは、図９に示すように、後述する台板部材８５の上側ガイド部８５ｄに沿って前後方向に摺動可能に設けられている。また、上側摺動部２１ｄは、開閉部材２１が閉鎖位置に位置する際に、台板８５ａの一部に接触することで開閉部材２１が閉鎖位置より前方へ移動することを規制している。また、図７、図９等に示すように、開閉部材２１の下側摺動部２１ｅは、後ケース体８２において溝状に形成された下側ガイド部８２ｂに沿って摺動可能に設けられている。また、下側摺動部２１ｅは、開閉部材２１が閉鎖位置に位置する際に、溝状に形成された下側ガイド部８２ｂの内壁前端（図６参照）に接触することで開閉部材２１が閉鎖位置より前方へ移動することを規制している。このように、開閉部材２１に形成された上側摺動部２１ｄ及び下側摺動部２１ｅが前後方向に摺動し、開閉部材２１の前後動をガイドすることで、開閉部材２１が所定の姿勢（上下方向を板厚方向とする姿勢）を維持しつつ閉鎖位置と開放位置とにスライド変位し得るようになっている。更に、開閉部材２１の左端は、後ケース体８２の左側ガイド部８２ｆ（図９参照）あるいは前ケース体８１の左側ガイド部８１ｆ（図２参照）に支持され、開閉部材２１の右端は、後ケース体８２の右側ガイド部８２ｇ（図９参照）及び前ケース体８１の右側ガイド部８１ｇ（図３参照）の一連のガイド部に沿って移動するようになっており、これにより安定的に開閉部材２１を変位させることができる。
【００２３】
被作用部２１ｂは、開閉部材２１の後部側において伝達機構３０から作用を受けるように構成された部分であり、図９、図１０等に示すように後述する第１伝達部材３１と連結されるとともに、この第１伝達部材３１の先端部と連動して前後動するように構成されている。本構成では第１伝達部材３１（後述）が回動可能に構成され、その回動に応じて第１伝達部材３１の先端部に形成された作用部３１ｄが前後動するようになっており、図９（Ａ）及び図１０（Ａ）に示すように、第１伝達部材３１の作用部３１ｄが遊技盤２の前面２ｂに近い前方位置に移動するときには、被作用部２１ｂも連動して前方に移動し、この作用部３１ｄの変位に応じて開閉部材２１が前方位置（閉鎖位置）に移動することとなる。一方、図９（Ｂ）及び図１０（Ｂ）に示すように、第１伝達部材３１の作用部３１ｄが遊技盤２の後面２ｃ側に近い後方位置に移動するときには、被作用部２１ｂも連動して後方に移動し、この作用部３１ｄの変位に応じて開閉部材２１が後方位置（開放位置）に移動することとなる。
【００２４】
そして、図２（Ａ）、図４（Ａ）、図５（Ｂ）のように開閉部材２１が閉鎖位置にあるときには、閉鎖部２１ａが誘導路６０の上方で誘導口２０を塞ぐように遊技盤２の前方側（より詳しくは、後述する庇部８６の前方側）に突出して配されるようになっている。また、図２（Ｂ）のように開閉部材２１が開放位置にあるときには、閉鎖部２１ａが誘導路６０の上方から退避し、誘導口２０を開放するように配されることとなる。図９（Ａ）等に示す例では、開閉部材２１が開放位置にあるときに、開閉部材２１の後端部２１ｃが遊技盤２の後面２ｃと前後方向においてほぼ同位置となる場合を示しているが、後面２ｃよりもある程度離れた前側又は後側に位置するようになっていてもよい。
【００２５】
また、図８のように、開閉部材２１が開放位置にあるときには、開閉部材２１の前端は、遊技盤２の前面２ｂよりも前方に位置するようになっている。より具体的には、後述する台板部材８５（筐体８０）において遊技盤２の前面２ｂの前方に突出するように庇部８６が形成されており、開閉部材２１は、開放位置のときに当該開閉部材２１における遊技盤２の前面２ｂの前方に突出する部分の大部分が庇部８６の下方側に配されるようになっている。なお、図８の例では、開放位置のときに当該開閉部材２１の上面部前端が庇部８６の前端位置よりもやや後方となるように構成されていてもよく、開閉部材２１の上面部前端が庇部８６の前端位置よりもやや前方となるように構成されていてもよい。更に、本構成では、図８のように、伝達機構３０（後述）の作用を受ける被作用部２１ｂが、遊技盤２における前面２ｂと後面２ｃの間の厚み内で変位するようになっている。
【００２６】
次に、筐体８０について説明する。
筐体８０は、開閉部材２１、駆動源４０、第１伝達部材３１、第２伝達部材３２及び球検出部６２等を収容すると共に入賞装置１０の外殻をなすものであり、例えば樹脂材料などによって箱状に構成されている。この筐体８０は、図２〜図７に示すように、遊技盤２に固定される台板部材８５と、台板部材８５の前側に配置され、上部に遊技球を受け入れる誘導口２０が形成されてなる前ケース体８１と、台板部材８５の後側に配置され、駆動源４０及び伝達機構３０が収容される後ケース体８２と、後ケース体８２の下側に配置され、駆動源４０及び第１伝達部材３１を下方側から支持する下ケース体８３とを備えている。そして、これらがねじ等の締結部材によって一体的に組付けられている（図６及び図７等を参照）。また、前ケース体８１の前方側には、前面に図柄等が施される前飾り部材８７が設けられ、前ケース体８１に一体的に組み付けられている。
【００２７】
この筐体８０は、図８及び図９のように、開閉部材２１、第１伝達部材３１、第２伝達部材３２、駆動源４０を内部に収容して直接的に保持するように構成されている。具体的には、台板部材８５と後ケース体８２とによって閉鎖された閉鎖空間内を可動（回動）し得るように第１伝達部材３１が組み付けられ、後ケース体８２と下ケース体８３とによって閉鎖された閉鎖空間に第２伝達部材３２及び駆動源４０が組み付けられている。また、後ケース体８２には、下方側に露出するように球検出部６２が組付けられている。
【００２８】
図２（Ａ）のように、前ケース体８１の上面部には、遊技盤２の前面２ｂ（図４等）に沿うように誘導樋５０が形成されている。この誘導樋５０は、図２（Ａ）のように開閉部材２１が閉鎖位置にあるときに当該開閉部材２１の上流側に隣接して配置される上流側誘導樋５２と、開閉部材２１が閉鎖位置にあるときに当該開閉部材２１の下流側に隣接して配置される下流側誘導樋５１とにより構成されている。そして、筐体８０において上流側誘導樋５２と下流側誘導樋５１との間に形成される開口部が誘導口２０となっている。この誘導口２０は、入賞口として機能する部分であり、当該誘導口２０を遊技球が通過したときにこの通過した遊技球が球検出部６２によって検出され、所定の遊技（例えば賞球の払い出し）が行われるようになっている。
【００２９】
具体的には、図２のように前ケース体８１の周壁部８１ｃの一部をなす上側の壁部５２ａが上流側誘導樋５２の底壁部となっており、もう一方の上側の壁部５１ａが下流側誘導樋５１の底壁部となっている。上流側誘導樋５２は、この壁部５２ａと、前ケース体８１及び台板８５ａにおける壁部５２ａに隣接する部分とによって構成されており、壁部５２ａ上を遊技球が右方向に転がるようになっている。また、下流側誘導樋５１は、この壁部５１ａと、前飾り板８７ａ及び台板８５ａにおける壁部５１ａに隣接する部分とによって構成されており、壁部５１ａ上を左方向に転がるように遊技球が流下するようになっている。この誘導樋５０では、壁部５２ａにおける左右方向一方側（壁部５１ａ側）の端部と、壁部５１ａにおける左右方向他方側（壁部５２ａ側）の端部と、台板８５ａとによって誘導口２０が形成されており、これらによって囲まれる開口領域が遊技球の取り込み口となっている。なお、誘導口２０の前側には前飾り部材８７の前飾り板８７ａが配置されている。
【００３０】
この構成では、図２（Ａ）のように開閉部材２１が閉鎖位置にあるときには、開閉部材２１上に流下してきた遊技球が、開閉部材２１の上を転がり、下流側誘導樋５１側に導かれることとなる。また、図２（Ｂ）のように後述する開閉部材２１が開放位置にあるときには、誘導口２０上方に流下してきた遊技球が、誘導口２０から内部に進入することとなる。なお、図２等に示す例では、上流側誘導樋５２は、誘導口２０側が高位となるように傾斜しているが、反対に傾斜するように形成されていてもよい。即ち、誘導口２０側が低位となり、誘導口２０とは反対側が高位となるように形成されていてもよい。このようにすると、上流側誘導樋５２上を転がる遊技球が誘導口２０側に導かれやすくなる。
【００３１】
また、図２に示すように、筐体８０の内部には、誘導口２０側を上流側として当該誘導口２０から進入する遊技球を下流側に設けられた排出部６０ａ（図３（Ｂ）、４（Ｂ）参照）へ誘導する誘導路６０が形成されている。図２に示すように、誘導路６０は、前ケース体８１の上壁部８１ｅと、後ケース体８２の周壁部８２ａ及び湾曲壁８２ｌと、下ケース体８３の貫通孔８３ａ（図６、図７参照）及び第２底壁部８３ｃと、下ケース体８３の下方側に収容される球検出部６２などによって構成されている。この誘導路６０は、遊技球を１球ずつ通す流路として機能しており、具体的には、前ケース体８１の板部８１ａの後方側且つ後ケース体８２の周壁部８２ａの前方側において、前ケース体８１の上壁部８１ｅの上部、更に後ケース体８２の湾曲壁８２ｌとした下ケース体８３の第２底壁部８３ｃとによって構成される通路を、球検出部６２の遊技球通過孔６２ａに向かって遊技球（誘導口２０から進入した遊技球）が通るようになっている。また、球検出部６２を通過した遊技球Ｂは、遊技球通過孔６２ａによって構成される排出部６０ａから下方側へ排出される。
【００３２】
前飾り部材８７は、図６及び図７に示すように、遊技盤２の前面２ｂと略平行に配置される板状の前飾り板８７ａと、当該前飾り板８７ａから後方に突出する取付部８７ｂとを備えており、取付部８７ｂには、前飾り部材８７の後方側から締結部材８８を取り付ける孔部８７ｃ（図７）が設けられている。
【００３３】
前ケース体８１は、図６及び図７に示すように、遊技盤２の前面２ｂと略平行に配置される板状の板部８１ａと、当該板部８１ａから後方に突出する周壁部８１ｃとを備えており、板部８１ａには、筐体８０の組み立て時に、前飾り部材８７の取付部８７ｂを貫通させる案内孔８１ｂが設けられている。周壁部８１ｃは、板部８１ａの外周部に沿った枠状に構成されており、前ケース体８１の上端側において左右に所定距離隔てて配置される一対の壁部５１ａ、５２ａ（上述の下流側誘導樋５１、上流側誘導樋５２のそれぞれの底壁）と、前ケース体８１の左右両側において上下に延びるように配置される一対の側壁９１、９２と、これら側壁９１、９２の下端部側を連結する形態で配置される底壁９３とを有している。また、上記誘導口２０の左右端部（即ち、壁部５１ａ、５２ａの開口側の端部）から垂れ下がる構成で一対の内壁部９４、９５が形成されており、更に、壁部５１ａ、５２ａから所定距離隔てた下方位置且つ底壁９３の上方位置において、壁部５２ａと段差状となるように上壁部８１ｅが設けられている。
【００３４】
また、一方の内壁部９４における開閉部材２１付近（壁部５１ａの誘導口側端部付近）には略三角形突起状の左側ガイド部８１ｆが形成されており、他方の内壁部９５における開閉部材２１付近（壁部５２ａの誘導口側端部付近）には誘導路６０に向かって突出するガイド壁８１ｉが設けられている。また、ガイド壁８１ｉは、右後方側に面するように形成されているため、上壁部８１ｅの上面部を左側（内壁部９４側）に転がった遊技球Ｂが当該ガイド壁８１ｉに衝突することで、後方側へと誘導されることになる。
【００３５】
また、図２に示すように、誘導口２０の下方に位置する誘導路６０の底壁（前ケース体８１の上壁部８１ｅ）上には、２つの誘導突起部８２ｃが所定の間隔を隔てて設けられている。具体的には、図６に示すように、略三角柱形状を有し、後ケース体８２から突出するように形成されるとともに、図２に示すように、前ケース体８１における上壁部８１ｅの上面に接するように構成されている。これによって、誘導口２０に流入した遊技球が誘導路６０（前ケース体８１の上壁部８１ｅ）を流下する際に、誘導突起部８２ｃに接触させて前方側に流下方向を規制することができ、誘導路６０内で遊技球の流れが不規則に変化して球詰まりが発生することを回避することができる。
【００３６】
前ケース体８１に組み付けられる台板部材８５は、図６及び図７に示すように、遊技盤２の前面２ｂに隣接して配置される板状の台板８５ａと、この台板８５ａから後方に突出する略板状の突出部８５ｂとを備えている。突出部８５ｂには、上方向に向かって凹形状となるように構成され且つその内壁面で開閉部材２１の上側摺動部２１ｄをガイドするように機能する上側ガイド部８５ｄが形成されている。また、突出部８５ｂの下方には、後述する後ケース体８２が嵌まり込んだ状態で組み付けられるようになっている。具体的には、台板８５ａを厚さ方向（前後方向）に貫通する貫通孔８５ｃが形成されている。そして、台板部材８５の後方側から後ケース体８２を組み付けることで、当該貫通孔８５ｃ内に嵌合する構成で後ケース体８２が配置されることになる。
【００３７】
後ケース体８２は、図６及び図７に示すように、前後左右の四方を囲むような周壁部８２ａによって構成されており、上下両方向から内部に入り込んだ位置に、上下を区画する支持壁８２ｐを形成し、上下両方向から部品を組み付け収容できるように所定の空間が形成されている。そして、支持壁８２ｐは、板状形態をなして前後方向及び左右方向に沿うように形成されると共に、第１伝達部材３１を下方から支持しつつ回動可能に保持する。また、後ケース体８２は、上方からは第１伝達部材３１を組み付けて収容し、下方からは第２伝達部材３２及び駆動源４０を組み付けて収容している。この支持壁８２ｐには、図６、図７及び図９に示すように、上下方向に貫通する内側開口部８２ｅが形成されている。そして、第１伝達部材３１の作用部３１ｄが内側開口部８２ｅ内に入り込むようになっている。また、支持壁８２ｐには、支持壁８２ｐの上面から上方に突出するボス（軸）状の突出部８２ｋが形成されており、第１伝達部材３１の回動軸孔３１ａに挿入するようになっている。また、後ケース体８２の上面部左端側には、前後方向に延びるリブ状に構成され且つ開閉部材２１の左端部をガイドするように構成された左側ガイド部８２ｆが形成され、後ケース体８２の上面部右端側には、前後方向に延びるリブ状に構成され且つ開閉部材２１の右端部をガイドするように構成された右側ガイド部８２ｇが形成されている。また、支持壁８２ｐの下面には上側挿通孔８２ｎが形成されており、第２伝達部材３２の回動軸３２ａを挿通するようなっている。また、図２、図３（Ａ）、図６及び図９に示すように、後ケース体８２の下方側左寄りの位置に、上方に凹む形態で、誘導路６０の一部を構成する湾曲壁８２ｌが形成されている。
【００３８】
下ケース体８３は、図６及び図７に示すように、上側を開放する略直方体状に形成され、上方から内部に部品を組み付けて収容できるように所定の空間が形成されている。また、下ケース体８３の左後方側には、上下方向に貫通する貫通孔８３ａが設けられており、その貫通孔８３ａに下方には球検出部６２を収容する収容部８３ｅが設けられている。そして、上方からは、第２伝達部材３２及び駆動源４０を組み付けて収容している。また、下ケース体８３を、後ケース体８２に、下方側から組み付けることで、筐体８０の一部を構成している。また、第１底壁部８３ｂの上面には下側挿通孔８３ｆが形成されており、第２伝達部材３２の回動軸３２ａを挿通するようなっている。
【００３９】
球検出部６２は、図４（Ｂ）及び図９に示すように、開閉部材２１の下方側において、遊技盤２の前面２ｂよりも後側の領域に配置されている。また、遊技球通過孔６２ａが遊技盤２の後面２ｃよりも後側の領域に位置されており、誘導路６０を通過する遊技球を検出するように機能している。また、球検出部６２は、上面部６２ｂの一部が誘導路６０内に面し、他の部分が下ケース体８３に覆われるように筐体８０の内部に保持されており、上面部６２ｂの誘導路６０内に面する部分において上面部６２ｂ側から下面部６２ｃ側に連通するように遊技球通過孔６２ａが形成されている。そして、この遊技球通過孔６２ａを通過する遊技球Ｂを検出するように構成されている。また、球検出部６２は、上面部６２ｂ及び下面部６２ｃが略水平の状態で筐体８０内に保持され、遊技球通過孔６２ａが上方前側から下方後側に続くように配置されて、上面部６２ｂ側から遊技球通過孔６２ａ内に入り込んだ遊技球がこの遊技球通過孔６２ａによって下方側に導かれるようになっている。誘導路６０に連通する排出部６０ａでもある遊技球通過孔６２ａを通過した遊技球は、下方側へ排出されるようになっている。
【００４０】
また、図２、図８等に示すように、台板部材８５の台板８５ａには、開閉部材２１の上方において、遊技盤２ａの前方に延出する庇部８６が設けられている。具体的には、庇部８６は、台板部材８５の台板８５ａに形成された貫通孔８５ｃの上側の縁に沿うように設けられており、上面が前方に向かって低位置となるように傾斜している。これによって、開閉部材２１が閉鎖位置に位置する際は、図２（Ａ）及び図８（Ａ）に示すように、庇部８６は開閉部材２１の閉鎖部２１ａの真上に位置し、開閉部材２１が開放位置に位置する際は、図２（Ｂ）及び図８（Ｂ）に示すように、庇部８６は開閉部材２１の前端を上方から覆うように位置している。
【００４１】
また、本構成の筐体８０には、図３（Ａ）及び図８に示すように、第１伝達部材３１と干渉を回避するための前側開口部８２ｄが形成されている。前側開口部８２ｄは、図３（Ａ）及び図８に示すように、後ケース体８２の前側の周壁部８２ａに略長方形状の貫通孔として形成されている。図８（Ｂ）に示すように、開閉部材２１が開放位置に位置する際に、第１伝達部材３１の被作用部３１ｅ（詳しくは第１被作用部３１ｆ）が前側開口部８２ｄに後方側から入り込む構成になっている。このような構成によって、第１伝達部材３１が筐体８０と干渉することを回避し、第１伝達部材３１、第２伝達部材３２及び開閉部材２１の可動域を広げることができ、開閉部材２１の被作用部２１ｂを筐体８０内において遊技盤２の厚み内で変位するように構成することが可能となる。
【００４２】
また、本構成の筐体８０には、図３（Ｂ）に示すように、後ケース体８２の切欠部８２ｍとした下ケース体８３の切欠部８３ｄとによって前後方向に貫通する貫通孔が形成されている。駆動源４０のコイル部４１の後方に設けられることによって、駆動源４０の動作によって生じた熱の放出効率を向上させることができる。
【００４３】
次に、駆動源４０について説明する。
図６、図７に示すように、駆動源４０は、通電可能なコイルを備えたコイル部４１と、プランジャ４２と、ばね部材（図示せず）とを備えている。この駆動源４０は、図８のように、後ケース体８２に設けられる支持壁８２ｐの下方側において遊技盤２の前面２ｂよりも後側の領域且つ後面２ｃよりも前側の領域に配置されている。そして、コイル部４１によってプランジャ４２を駆動することにより、後述する第２伝達部材３２を後述する第１回動位置と第２回動位置とで変位させるように機能している。
【００４４】
プランジャ４２は、図６及び図７に示すように、軸状に構成されると共に、その一部がコイル部４１に形成された孔部（図示略）内に挿入されるようになっており、この孔部に沿って移動することによりコイル部４１に対して直線的に相対移動するようになっている。このプランジャ４２は、図１１、図１４、図１５等に示すように、フランジ状に構成された先端部４２ａが後述する第２伝達部材３２と嵌合することで第２伝達部材３２に一体的に連結されており、第２伝達部材３２はプランジャ４２の変位に応じて回動運動するようになっている。
【００４５】
コイル部４１は、金属線が複数周巻き回されてなる中空状の金属コイルからなり、この金属コイルの通電、非通電が切り替えられることにより、励磁状態と非励磁状態とに切り替わるようになっている。このコイル部４１は、後ケース体８２と下ケース体８３とによって閉鎖された空間に収容されており、プランジャ４２はこの空間内において右方向に突出するように位置している。また、プランジャ４２は、コイル部４１が非励磁状態のときには、ばね部材によってプランジャ４２の先端部４２ａがコイル部４１から離間するように付勢され、図１１（Ａ）、図１３（Ａ）、図１４（Ａ）及び図１５（Ａ）に示す所定の突出位置に維持されるようになっている。
【００４６】
一方、コイル部４１が励磁状態のときには、図１１（Ｂ）、図１３（Ｂ）、図１４（Ｂ）及び図１５（Ｂ）のように、プランジャ４２がコイル部４１内に引き込まれ、上記突出位置のときよりも突出量が小さくなる状態（没入位置）で維持される。このように、プランジャ４２は、このコイル部４１の通電状態に応じてコイル部４１内に引き込まれた没入位置（図１１（Ｂ）、図１３（Ｂ）、図１４（Ｂ）及び図１５（Ｂ））とこの没入位置のときよりもコイル部４１から突出する突出位置（図１１（Ａ）、図１３（Ａ）、図１４（Ａ）及び図１５（Ａ））との間で左右に直線的に移動するようになっている。
【００４７】
次に、伝達機構３０について説明する。
伝達機構３０は、開閉部材２１と連動可能に構成され、駆動源４０の駆動力を受けて動作するとともに、開閉部材２１を閉鎖位置と開放位置とで変位させるように構成されている。この伝達機構３０は、筐体８０内における開閉部材２１の下方において上下方向に沿った回動軸線Ｇ１（図１０等）回りに回動可能に保持され、且つ開閉部材２１と連動するように配置される第1伝達部材３１と、筐体８０内において上下方向に沿った回動軸線Ｇ２（図１０等）回りに回動可能に保持され、駆動源４０の駆動力を受けて動作すると共にその駆動力を第1伝達部材３１に伝達する第２伝達部材３２とを備えている。
【００４８】
開閉部材２１側に配置される第１伝達部材３１は、図６、図７、図１０等に示すように、全体としてＶ字状（へ字状）の形態をなし、その屈曲部分で連結される第１延出部３１ｂと第２延出部３１ｃとを備えている。この第１伝達部材３１は、屈曲部分が回動中心となるように、後ケース体８２に形成された突出部８２ｋに挿通される回動軸孔（貫通孔）３１ａを有し上下方向に筒状に延出する軸部３１ｋが形成されており、第１延出部３１ｂは回動軸孔３１ａを中心とする半径方向に延出しており、第２延出部３１ｃは回動軸孔３１ａを中心とする半径方向であって第１延出部３１ｂとは異なる方向に延出している。図１０に示すように、第１延出部３１ｂの延出方向端部（先端部）には、回動軸孔３１ａ側に凹むＵ字状の作用部３１ｄが形成されており、第２延出部３１ｃの延出方向端部（先端部）には、回動軸孔３１ａ側に凹むＵ字状の被作用部３１ｅ（第１被作用部３１ｆ、第２被作用部３１ｇ）が形成されている。なお、被作用部３１ｅは、作用部３１ｄとの距離が近い位置に形成された第１被作用部３１ｆと、作用部３１ｄとの距離が遠い位置に形成された第２被作用部３１ｇとによって構成されている。
【００４９】
また、第１伝達部材３１は、図８に示すように、筺体８０に形成された突出部８２ｋが回動軸孔３１ａに挿入された状態で、突出部８２ｋの周りを回動し得るように支持壁８２ｐ上に支持されている。そして、図９に示すように、開閉部材２１と第１伝達部材３１との関係において、第１伝達部材３１の軸部３１ｋ（詳しくは回動軸線側当接部３１ｈ）が開閉部材２１の対向部２１ｆと対向すると共に、それよりも左側の位置で被作用部２１ｂと作用部３１ｄとが連係しつつ、開閉部材２１の最下位置よりも第１伝達部材３１が上側に配置されている。また、第１伝達部材３１の第１延出部３１ｂの上面側が、先端方向側が低位となるように下面に対して傾斜状に切欠かれており、開閉部材２１の下面と後ケース体８２の支持壁８２ｐとの間の領域に収まり易いような形態となっている。また、回動軸線側当接部３１ｈ（軸部３１ｋ）は、上端部が筺体８０に形成される突出部８２ｋの上端部よりも高位置となるように形成されている。これによって、開閉部材２１の対向部２１ｆと突出部８２ｋとの接触を防ぎ、開閉部材２１の動作を妨げることがなくなる。
【００５０】
この第１伝達部材３１は、開閉部材２１と連動可能に構成され、第２伝達部材３２から作用を受けて開閉部材２１を閉鎖位置と開放位置とで変位させるように機能している。具体的には、図１０〜図１７に示すように、第１伝達部材３１の被作用部３１ｅが、第２伝達部材３２の作用部３２ｃと嵌合状態（遊嵌状態）で連結しており、第２伝達部材３２の往復動（往復回動）に伴う作用部３２ｃの往復動と連動して被作用部３１ｅが回動することで第１伝達部材３１全体が回動動作するようになっている。そして、この第１伝達部材３１は、第２伝達部材３２の回動に応じて、図１０（Ａ）、図１１（Ａ）、図１２（Ａ）、図１３（Ａ）、図１４（Ａ）、図１５（Ａ）、図１６（Ａ）及び図１７（Ａ）に示すような回動位置（図１０（Ｂ）等に示す位置に対し上方から見て反時計回りに回動した第１回動位置）と、図１０（Ａ）、図１１（Ａ）、図１２（Ａ）、図１３（Ａ）、図１４（Ａ）、図１５（Ａ）、図１６（Ａ）及び図１７（Ａ）に示すような回動位置（図１０（Ａ）等に示す位置に対し上方から見て時計回りに回動した第２回動位置）とで、回動軸孔３１ａを中心として（より詳しくは上下方向の回動軸線Ｇ１（図１０等）を中心として）回動動作するようになっている。
【００５１】
そして、このような第１伝達部材３１の回動動作が開閉部材２１の直進動作に変換されるようになっている。上述したように、開閉部材２１は、前後方向に往復動可能となるように保持されており、第１伝達部材３１は、図１０のように、自身の回動に伴って開閉部材２１に形成された被作用部２１ｂを前後に往復動させることで、開閉部材２１を前後に往復動させている。具体的には、第１延出部３１ｂがある程度長く構成され、作用部３１ｄが回動軸孔３１ａからある程度遠い位置となっているため、第１伝達部材３１の回動動作に伴って作用部３１ｄがほぼ前後方向に往復動し、これと嵌合（遊嵌）する被作用部２１ｂも開閉部材２１の回動動作に伴って前後方向に往復動するようになっている。また、第１伝達部材３１の作用部３１ｄのＵ字形状がある程度第１延出部３１ｂの延出方向沿いに延びる形態となっているため、第１伝達部材３１の作用部３１ｄの変位に対して、作用部３１ｄのＵ字形状内に位置した状態（Ｕ字形状を形作る両延出部に挟まれた状態）で開閉部材２１の被作用部２１ｂが前後方向に変位することが可能となる。
【００５２】
また、図６等に示すように、第１伝達部材３１の上面には、軸部３１ｋの上端部に開閉部材２１と対向し得る共に上方側にリング状に凸となる構成の回動軸線側当接部３１ｈと、第２延出部３１ｃの延出部において上方側に凸となる構成で、且つ回動軸線側当接部３１ｈから当該第２延出部３１ｃの延出方向に沿うように連続して延びる延出部側当接部３１ｉが形成され、第１伝達部材３１の下面には、軸部３１ｋの下端部に筺体８０の支持壁８２ｐと対向し得る共に下方側にリング状に凸となる構成の下側当接部３１ｊとが形成されている。また、図８（Ａ）、図９（Ａ）、図１０（Ａ）等に示すように、開閉部材２１が閉鎖位置に位置する時に、回動軸線側当接部３１ｈの前方側の一部（回動軸線Ｇ１よりも僅かに前方に位置する前側の部分）と延出部側当接部３１ｉの全体とが、開閉部材２１の対向部２１ｆに上下方向で対向するよう構成されている。一方で、図８（Ｂ）、図９（Ｂ）、図１０（Ｂ）等に示すように、開閉部材２１が開放位置に位置する時に、回動軸線側当接部３１ｈの後方側の一部（回動軸線Ｇ１から後側の部分）が、開閉部材２１の対向部２１ｆに上下方向で対向するように構成されている。また、図８に示すように、下側当接部３１ｊが後ケース体８２の支持壁８２ｐに当接して保持されるように構成されている。
【００５３】
第２伝達部材３２は、第１伝達部材３１と連動可能に構成され、駆動源４０から駆動力を受けて動作すると共に第１伝達部材３１を変位（回動）させるように機能している。この第２伝達部材３２は、図６及び図７に示すように、上下に対向する上壁部３２ｐ、下壁部３２ｑと、これら上壁部３２ｐ、下壁部３２ｑを連結する周壁部３２ｔと、上壁部３２ｐから上方、及び下壁部３２ｑから下方にそれぞれ突出する回動軸３２ａとを備えている。更に、回動軸３２ａから回動軸３２ａを中心とする半径方向に所定距離隔てた位置において上方に突出するように軸状に構成される作用部３２ｃと、この作用部３２ｃの下方側において、上壁部３２ｐ、下壁部３２ｑを周壁部３２ｔとは異なる位置で連結するように棒状に形成される連結部３２ｍとを備えており、周壁部３２ｔと連結部３２ｍとによって貫通孔である嵌合部３２ｄが形成されている。そして、図１１に示すように、嵌合部３２ｄがプランジャ４２の先端部４２ａと嵌合することでプランジャ４２と第２伝達部材３２とが連動して動作するようになっている。プランジャ４２は、コイル部４１の駆動及び駆動解除に伴って左右方向に直線的に往復運動するようになっており、第２伝達部材３２は、プランジャ４２の変位に応じ、作用部３２ｃがコイル部４１に対して接離するように（相対的にコイル部４１に接近した位置とコイル部４１と離間した位置との間で変位するように）回動軸３２ａを中心として回動する。この構成では、回動軸３２ａからある程度距離を隔てた前方側に連結部３２ｍが配され、プランジャ４２の先端部４２ａの一方面側に連結部３２ｍが配され、他方面側に周壁部３２ｔが配されるようになっており、プランジャ４２がコイル部４１内に引き込まれるときには先端部４２ａによって連結部３２ｍがコイル部４１寄りに押圧され、これにより第２伝達部材３２が時計回りに回動するようになっている。ここで、「反時計回り」及び「時計回り」とは、図１０において上方から下方に向かって見たときの反時計回り及び時計回りの方向である。一方、コイル部４１の通電解除及びばね部材の付勢によってプランジャ４２が突出位置に変位するときには、先端部４２ａによって周壁部３２ｔの一端側（連結部３２ｍ側）が押圧され、これにより第２伝達部材３２が反時計回りに回動することになる。
【００５４】
また、第２伝達部材３２は、筺体８０に設けられている上側挿通孔８２ｎ及び下側挿通孔８３ｆに回動軸３２ａを挿通させて軸支されるようになっている。また、第２伝達部材３２には、図６及び図７に示すように、軸状に構成される作用部３２ｃにおいて、下方側から第１伝達部材３１の被作用部３１ｅを支持可能な支持部３２ｅが形成されている。支持部３２ｅは、第２伝達部材３２の作用部３２ｃを中心とする半径方向に延出すると共に、作用部３２ｃの上下方向に沿うように延びる略直方体形状に形成されている。この支持部３２ｅは、本実施形態では、図１２及び図１５に示すように、第１伝達部材３１の被作用部３１ｅと離間して配置されているが、当接して配置してもよい。それによって、第１伝達部材３１の軸方向のガタつき（傾き等）を抑え、第１伝達部材３１の動作を安定させることができる。
【００５５】
（伝達部材の移動を規制する構成）
次に、第１伝達部材３１の移動を規制する構成について説明する。
本実施形態では、上述したように、図８及び図９に示すように、後ケース体８２の支持壁８２ｐの上側には、第１伝達部材３１が配置されており、更に第１伝達部材３１の上側には開閉部材２１が配置されており、筺体８０内においてこれらは上下方向に積層構成となっている。また、図８に示すように、第１伝達部材３１の回動軸孔３１ａ（軸部３１ｋ）は、後ケース体８２の突出部８２ｋに挿通されているため、上下方向以外への移動が規制されている。そして、第１伝達部材３１の作用部３１ｄと開閉部材２１の被作用部２１ｂとが嵌合状態（遊嵌状態）で連結していることで、第１伝達部材３１と開閉部材２１は連動して変位するようになっている。
【００５６】
図８及び図９に示すように、第１伝達部材３１の下面側に形成される下側当接部３１ｊが後ケース体８２の支持壁８２ｐに当接することで、常に後ケース体８２の支持壁８２ｐによって第１伝達部材３１の下側が支持されるようになっている。また、第１伝達部材３１は、第１伝達部材３１の回動軸孔３１ａ内に支持壁８２ｐの上面から突出する突出部８２ｋが挿入された状態で、突出部８２ｋの周りを回動し得るように支持壁８２ｐ上に支持されるようになっている。そのため、第１伝達部材３１は下方向への移動が規制されつつ回動軸線Ｇ１（図１０参照）を中心として回動することになる。
【００５７】
また、図８（Ａ）、図９（Ａ）、図１０（Ａ）等に示すように、開閉部材２１が閉鎖位置にある際（第１伝達部材３１が第１回動位置にある際）に、第１伝達部材３１の上面側に形成される回動軸線側当接部３１ｈの前方側の一部と延出部側当接部３１ｉの全体とが、開閉部材２１の下面側に形成される対向部２１ｆに対向して位置するようになっている。ここで、図９に示すように、対向部２１ｆと回動軸線側当接部３１ｈは左右方向において同程度の幅を有しており、延出部側当接部３１ｉにおいては、図１０（Ａ）に示すように対向部２１ｆの幅方向全幅に亘るように延出長さを有している。また、開閉部材２１は、閉鎖部２１ａの上面の一部が台板部材８５の突出部８５ｂと対向して位置しており、閉鎖部２１ａの下面は、左端が後ケース体８２の左側ガイド部８２ｆ（図９参照）あるいは前ケース体８１の左側ガイド部８１ｆ（図２参照）に支持され、右端が後ケース体８２の右側ガイド部８２ｇ（図９参照）及び前ケース体８１の右側ガイド部８１ｇ（図３参照）の一連のガイド部に支持されているため、上下方向の移動が規制されている。そのため、回動軸孔３１ａが支持壁８２ｐに形成された突出部８２ｋに挿通した状態で第１伝達部材３１を上方へ移動させるような力が加わった場合でも、回動軸線側当接部３１ｈあるいは延出部側当接部３１ｉが開閉部材２１の対向部２１ｆと接触することで、第１伝達部材３１の上方への移動が規制されることになる。なお、回動軸線側当接部３１ｈあるいは延出部側当接部３１ｉが開閉部材２１の対向部２１ｆと接触する場合でも、接触する面積もこれら当接部のみと限られるため、開閉部材２１の動作に支障をきたすことがない。
【００５８】
一方で、図８（Ｂ）、図９（Ｂ）、図１０（Ｂ）等に示すように、開閉部材２１が開放位置にある際（第１伝達部材３１が第２回動位置にある際）に、対向部２１ｆが第１伝達部材３１の上面側に形成される回動軸線側当接部３１ｈの後方側の一部（後方側半分程度）に対向して位置するようになっている。そのため、回動軸孔３１ａが支持壁８２ｐに形成された突出部８２ｋに挿通した状態で第１伝達部材３１を上方へ移動させるような力が加わった場合でも、回動軸線側当接部３１ｈが開閉部材２１の対向部２１ｆと接触することで、第１伝達部材３１の上方への移動が規制されることになる。更に、開閉部材２１は、閉鎖部２１ａの上面が台板部材８５の突出部８５ｂと対向して位置しているため、開閉部材２１も上方への移動が規制されることになる。
【００５９】
また、第１伝達部材３１の回動動作時（第１伝達部材３１が第１回動位置から第２回動位置に変位する途中の状態にある時、あるいは第２回動位置から第１回動位置に変位する途中の状態にある時）には、第１伝達部材３１の回動軸線側当接部３１ｈ及び延出部側当接部３１ｉの少なくともいずれかが開閉部材２１の対向部２１ｆに対向して位置するようになっている。そのため、第１伝達部材３１が第１回動位置及び第２回動位置にある場合と同様に、不測の事態において、第１伝達部材３１の上方への移動が規制されることになる。
【００６０】
したがって、第１伝達部材３１は、後ケース体８２の突出部８２ｋによって上下方向以外への移動が規制されると共に、どのような回動位置に位置していても、開閉部材２１の対向部２１ｆと後ケース体８２の支持壁８２ｐとによって上下方向への移動が規制される。このような開閉部材２１と第１伝達部材３１とが積層される構成によって、上下方向への移動を規制する部材（皿ビス等の締結部材）が必要なくなり、上下方向の嵩張りを抑制することが可能となる。また、部品点数の低減及び組付け作業の効率化を図ることが可能となる。
【００６１】
なお、上記構成では、第１伝達部材３１の回動軸線側当接部３１ｈ及び延出部側当接部３１ｉの少なくともいずれかが開閉部材２１の対向部２１ｆに対向して位置するようになっているが、回動軸線側当接部３１ｈ及び延出部側当接部３１ｉの少なくともいずれかが開閉部材２１の対向部２１ｆに常に当接するようにしてもよい。それによって、第１伝達部材３１と開閉部材２との間にスペースができず、第１伝達部材３１のガタつきをより効果的に抑制することができる。
また、上記構成では、開閉部材２１の対向部２１ｆに対向して位置するように第１伝達部材３１に回動軸線側当接部３１ｈ及び延出部側当接部３１ｉを設けているが、回動軸線側当接部３１ｈのみ設ける構成としてもよい。回動軸線側当接部３１ｈが、第１伝達部材３１の軸部３１ｋの近傍で開閉部材２１の対向部２１ｆに対向することが可能になるため、第１伝達部材３１を上方へ移動させるような力が加わった場合に、少なくとも回動軸線側当接部３１ｈのみによって、第１伝達部材３１の上方への移動を規制することができる。
【００６２】
（遊技機用可変入賞装置の開閉動作）
次に、入賞装置１０の開閉動作について説明する。
入賞装置１０は、コイル部４１が通電されていないときには、コイル部４１によるプランジャ４２の吸引作用が生じず、図示しないばね部材の付勢によってプランジャ４２が突出位置に維持され、これにより第２伝達部材３２が、図１０（Ａ）及び図１６（Ａ）に示すように、作用部３２ｃが相対的にコイル部４１から離間した位置（第３回動位置）で維持されることになる。そして、第２伝達部材３２がこのような回動位置にあるときには、第１伝達部材３１の被作用部３１ｅが第２伝達部材３２の作用部３２ｃに連動して保持されるため、第１伝達部材３１は、図１０（Ａ）及び図１６（Ａ）に示すような回動位置（上述の第１回動位置）で維持されることになる。そして、第１伝達部材３１がこのような回動位置にあるときには、前方側にある第１伝達部材３１の作用部３１ｄに対応する前方位置で開閉部材２１の被作用部２１ｂが保持されるため、開閉部材２１は、図１０（Ａ）及び図１２（Ａ）に示すように遊技盤２の前方側に大きく突出して誘導口２０を閉鎖する閉鎖位置で維持されることになる。
【００６３】
一方、コイル部４１が通電されると、図示しないばね部材の付勢に抗してプランジャ４２がコイル部４１内に引き込まれ、プランジャ４２が没入位置に移動する。このとき、第２伝達部材３２は、回動軸３２ａを中心として回動し、図１０（Ｂ）及び図１６（Ｂ）に示すように、作用部３２ｃが相対的にコイル部４１に接近した位置（第４回動位置）で維持されることになる。そして、第２伝達部材３２がこのような回動位置にあるときには、第１伝達部材３１の被作用部３１ｅが第２伝達部材３２の作用部３２ｃに連動して保持されるため、第１伝達部材３１は、図１０（Ｂ）及び図１６（Ｂ）に示すような回動位置（上述の第２回動位置）で維持されることになる。そして、第１伝達部材３１が上記第２回動位置にあるときには、後方側にある第１伝達部材３１の作用部３１ｄに対応する後方位置で開閉部材２１の被作用部２１ｂが保持されるため、開閉部材２１は、図１０（Ｂ）及び図１２（Ｂ）に示すように大部分が遊技盤２の後方側に退避し、誘導口２０を開放する開放位置で維持されることになる。
【００６４】
更に、再びコイル部４１が非通電状態になると、図示しないばね部材の付勢によってプランジャ４２が突出位置に変位し、各構成部材が連動して、第１伝達部材３１は上述の第１回動位置に、第２伝達部材３２は上述の第３回動位置に、開閉部材２１は誘導口２０を閉鎖する閉鎖位置に変位することになる。また、図６及び図８に示すように、後ケース体８２の周壁部８２ａの内側には、突起状のリブ８２ｈ,８２ｉが形成されており、リブ８２ｈは、第１伝達部材３１が第２回動位置に変位したときに第１延出部３１ｂと当接することで、当該第１伝達部材３１がその当接位置を超えて回動することを規制している。リブ８２ｉは、第２伝達部材３２が第３回動位置に変位したときに延出部３２ｂと当接することで、当該第２伝達部材３２がその当接位置を超えて回動することを規制している。このように、リブ８２ｈ,８２ｉは、第１伝達部材３１及び第２伝達部材３２の回動を阻止するストッパーとしての機能を果たしている。また、第２伝達部材３２は、回動軸３２ａが後ケース体８２に支持され、回動軸３２ａから延出する延出部３２ｂがリブ８２ｉによって支持されることとなり、遊技球が開閉部材２１に衝突した場合にその反発などによって、ガタつく（回動）ことがなく、安定させることができる。
【００６５】
[第２実施形態]
第１実施形態では、第１伝達部材３１が、図８に示すように、筺体８０に形成された突出部８２ｋが回動軸孔３１ａに挿入された状態で、突出部８２ｋの周りを回動し得るように支持壁８２ｐ上に支持されている構成を例示したが、その他の構成によって回動可能に支持されていてもよい。図１８（Ａ）に示すように、第１伝達部材１３１の回動軸部分が、第１伝達部材１３１の下面側から下方にリング状に突出する回動軸部１３１ｋのようになっている構成では、第１伝達部材３１及び筺体８０の支持壁８２ｐ以外の構成は第１実施形態と同様であるため、第１実施形態と同一の部分については第１実施形態と同一の符号を付し、適宜、図１〜図１７を参照し、詳細な説明は省略する（図１８（Ｂ）に示す第３実施形態及び図１８（Ｃ）に示す第４実施形態も同様である）。例えば、第１伝達部材３１の第１延出部３１ｂと第２延出部３１ｃと回動軸線側当接部３１ｈと延出部側当接部３１ｉの形態、開閉部材２１と第１伝達部材３１の連係状態、第１伝達部材３１の第１延出部３１ｂと第２延出部３１ｃと回動軸線側当接部３１ｈが開閉部材２１の対向部２１ｆと対向し得る構成は第１実施形態と同一となっている（図６〜図１７参照）。
【００６６】
例えば、図１８（Ａ）に示すように、第１伝達部材１３１の回動軸部分が、第１伝達部材１３１の下面側から下方にリング状に突出する回動軸部１３１ｋのようになっていてもよい。また、筺体１８０の支持壁１８２ｐには、支持壁１８２ｐを上下方向（厚さ方向）に貫通する貫通孔１８２ｖが形成されている。そして、第１伝達部材１３１の回動軸部１３１ｋが上方から支持壁１８２ｐの貫通孔１８２ｖに挿通しており、回動軸部１３１ｋの基端に形成される下側当接部１３１ｊが支持壁１８２ｐの上面に支持されている。これによって、回動軸部１３１ｋが貫通孔１８２ｖ内で回動することで、第１伝達部材１３１は、筺体１８０に下面側を支持されつつ回動可能に保持されることになる。したがって、第１伝達部材１３１は、開閉部材２１と筺体１８０の支持壁１８２ｐとによって上下への移動が規制されつつ回動軸線Ｇ１を中心として回動することができる。
【００６７】
[第３実施形態]
また、第１伝達部材３１が、第１実施形態とは異なる部材の連係によって回動可能に支持される構成として、例えば、図１８（Ｂ）に示すように、第１伝達部材２３１の回動軸部分が、第１伝達部材２３１の下面側から下方にリング状に突出する回動軸部２３１ｋのようになっていてもよい。また、筺体２８０の支持壁（図示略）には、支持壁の上面側から、第１伝達部材２３１の回動軸部２３１ｋの周囲において所定の角度範囲（回動軸線Ｇ１を中心とする円周の一方側の一部及び回動軸線Ｇ１を挟んだ他方側の一部に相当）で上方に突出する第１突出片２８２ｗ（回動軸部２３１ｋの前側に形成）及び第２突出片２８２ｘ（回動軸部２３１ｋの後側に形成）が形成されている。そして、第１伝達部材２３１は、回動軸部２３１ｋが前方側で第１突出片２８２ｗと、後方側で第２突出片２８２ｘと隣接するように配置されている。また、回動軸部２３１ｋの下面が筺体２８０の支持壁の上面に支持されている（図示略）。これによって、回動軸部２３１ｋが第１突出片２８２ｗと第２突出片２８２ｘとによって遊嵌状態となり、第１伝達部材２３１は、筺体２８０に下面側を支持されつつ回動可能に保持されることになる。したがって、第１伝達部材２３１は、開閉部材２１と筺体２８０の支持壁とによって上下への移動が規制されつつ回動軸線Ｇ１を中心として回動することができる。
【００６８】
[第４実施形態]
更に、第１伝達部材３１が、第１実施形態とは異なる部材の連係によって回動可能に支持される構成として、例えば、図１８（Ｃ）に示すように、第１伝達部材３３１の回動軸部分が、第１伝達部材３３１の下面側から下方に凸状に突出する回動軸部３３１ｋのようになっていてもよい。また、筺体３８０の支持壁３８２ｐには、支持壁３８２ｐを上下方向（厚さ方向）に貫通する貫通孔３８２ｖと、その貫通孔３８２ｖの周囲に上方に向かってリング状に突出する突出部３８２ｋが形成されている。そして、第１伝達部材３３１の回動軸部３３１ｋが上方から支持壁３８２ｐの貫通孔３８２ｖに挿通しており、回動軸部３３１ｋの基端に形成される下側当接部３３１ｊが支持壁３８２ｐの上面に支持されている。また、突出部３８２ｋが、第１伝達部材３３１の横側当接部３３１ｒ（図１８（Ｃ）参照）、第１延出部３１ｂ及び第２延出部３１ｃの基端付近に当接することで、第１伝達部材３３１をより強固に支持している。これによって、回動軸部３３１ｋが貫通孔３８２ｖ内で回動することで、第１伝達部材３３１は、筺体３８０に下面側を支持されつつ回動可能に保持されることになる。したがって、第１伝達部材３３１は、開閉部材２１と筺体３８０の支持壁３８２ｐとによって上下への移動が規制されつつ回動軸線Ｇ１を中心として回動することができる。
【００６９】
[第２実施形態、第３実施形態及び第４実施形態の作用効果]
なお、第２実施形態、第３実施形態及び第４実施形態の構成において、いずれの場合も、回動軸線側当接部を形成することができ（第２実施形態では図１８（Ａ）に示す回動軸線側当接部３１ｈ、第２実施形態では図示せず、第４実施形態では図１８（Ｂ）に示す回動軸線側当接部３１ｈに相当）、第１実施形態と同様に、開閉部材２１の対向部２１ｆと対向することによって、上下方向の嵩張りを抑制することが可能となると共に、筺体と締結するために用いるビス等が必要なくなり、部品点数の低減及び組付け作業の効率化を図ることが可能となる。
【符号の説明】
【００７０】
１…遊技機
２…遊技盤
２ｂ…前面（盤面）
２ｃ…後面
１０…遊技機用可変入賞装置（入賞装置）
２０…誘導口
２１…開閉部材
２１ａ…閉鎖部
２１ｆ…対向部
３０…伝達機構
３１，１３１，２３１，３３１…第１伝達部材
３１ａ…回動軸孔
３１ｂ…第１延出部
３１ｃ…第２延出部
３１ｈ…回動軸線側当接部
３１ｉ…延出部側当接部
３１ｊ，１３１ｊ，３３１ｊ…下側当接部
３１ｋ…軸部
４０…駆動源
８０，１８０，３８０…筐体
８２ｅ…内側開口部
８２ｋ…突出部
８２ｐ…支持壁
Ｂ…遊技球
Ｇ１，Ｇ２…回動軸線
【図１】
0005947100.tif 000002
【図２】
0005947100.tif 000003
【図３】
0005947100.tif 000004
【図４】
0005947100.tif 000005
【図５】
0005947100.tif 000006
【図６】
0005947100.tif 000007
【図７】
0005947100.tif 000008
【図８】
0005947100.tif 000009
【図９】
0005947100.tif 000010
【図１０】
0005947100.tif 000011
【図１１】
0005947100.tif 000012
【図１２】
0005947100.tif 000013
【図１３】
0005947100.tif 000014
【図１４】
0005947100.tif 000015
【図１５】
0005947100.tif 000016
【図１６】
0005947100.tif 000017
【図１７】
0005947100.tif 000018
【図１８】
0005947100.tif 000019